(57)【特許請求の範囲】
【請求項１】
玉軸受の内輪と外輪を相対回転させながら発生する振動を測定して玉表面の状態を検査する玉軸受の検査方法であって、
回転軸によって前記玉軸受の内輪又は外輪のいずれか一方を回転させる工程と、
前記玉軸受を挟んで前記回転軸の反対側に配設された加圧板を用いて前記内輪又は外輪の他方の軌道輪の回転を規制すると共に該他方の軌道輪を前記回転軸の軸線方向に押圧する押圧工程と、
前記回転軸の軸線方向に移動自在に設けた押戻板を用いて前記他方の軌道輪を前記加圧板の押圧方向に対して反対方向に押し戻す押戻工程と、
前記押戻板による押圧を解除した後、再び前記加圧板を用いて前記他方の軌道輪を前記回転軸の軸線方向に押圧する再押圧工程と、
を含み、
前記押圧工程と、前記押戻工程と、前記再押圧工程とを順次所定回数繰り返し、押圧工程時に測定した振動をもとに玉表面の状態を検査すること、
を特徴とする玉軸受の検査方法。
【請求項２】
前記加圧板により前記他方の軌道輪を押圧した時の前記玉軸受の玉の自転軸と、前記押戻板により前記他方の軌道輪を押し戻した時の前記玉軸受の玉の自転軸と、が、前記回転軸に対し互いに逆の傾きを有することを特徴とする請求項１に記載の玉軸受の検査方法。
【請求項３】
下記計算式（１）により走行面積を計算する場合に、前記押圧工程と前記押戻工程との切り替え回数を、玉表面積に対する走行面積の割合が８０％以上となる回数より大きく設定することを特徴とする請求項１または請求項２に記載の玉軸受の検査方法。
Ｘ＝［１−｛１−（Ｓ／１００）Ｎ｝］×１００  ・・・（１）
（式中、Ｓは１回の切り替えあたりの玉表面積に対する走行面積の割合［％］、Ｎは切り替え回数［回］、ＸはＮ回の切り替えを行ったときの玉表面積に対する走行面積の割合［％］を表す。）
【発明の詳細な説明】
【０００１】
【発明の属する技術分野】
本発明は、玉軸受の内輪と外輪とを相対回転させた際に生じる振動を検出して内輪と外輪との間に介装される転動体（玉）等の表面傷を検査する玉軸受の検査方法に関するものである。
【０００２】
【従来の技術】
ハードディスク等の精密装置に組み込まれる玉軸受は、軌道面や玉の表面に僅かな傷が生じている場合においても、回転に伴って振動の生じる虞れがある。このため、このような精密装置に組み込まれる玉軸受は、単体で玉軸受用検査装置によって玉表面等の傷の有無が検査される。
【０００３】
従来、この種の玉軸受用検査装置には、玉軸受の内輪と外輪とを相対回転させたときに、回転に伴って発生する振動（音響）を検出して、傷の有無を検査するものがある。この玉軸受用検査装置は、例えば固定軸により内輪が固定された状態で、回転軸によって外輪を回転させる。この際、固定軸はシリンダーによって一定の荷重で軸線方向に押圧される。このように、固定軸が内輪を押圧することで玉に予圧が付与される。この予圧の大きさは、玉軸受の使用時と同等に設定される。この状態で、回転に伴って発生する振動（音響）を振動計によって検出し、検出結果に基づいて玉表面の傷の有無を判定していた。
【０００４】
【発明が解決しようとする課題】
しかしながら、上述した従来の玉軸受用検査装置は、軸受単体では隙間を有するが、検査時に所定の一定荷重で玉に予圧を付与するため、玉の自転軸に大きな変化がなく、玉表面の一定の接触面（走行跡）のみしか検査することができず、走行跡範囲外の玉表面の多くの部分は検査されない虞れがあった。
また、軸線方向に加える荷重を変化させることも考えられるが、荷重を可変とすることのみでは玉の自転軸を大きく変えることができず、やはり多くの未検査部分が残る虞れがあった。
更に、玉軸受用検査装置への被検査体（玉軸受）の装着（ローディング）を反転し、玉に反対方向の予圧を付与して玉の自転軸を変化させることも考えられるが、複数回のローディングを行わなければならず、検査時間が長時間となる問題が予想された。
本発明は上記状況に鑑みてなされたもので、一回のローディングで玉表面の多くの面積を短時間で検査することのできる玉軸受の検査方法を提供することを目的とする。
【０００５】
【課題を解決するための手段】
上記目的を達成するための本発明に係る玉軸受の検査方法に用いられる玉軸受用検査装置は、玉軸受の内輪と外輪とを相対回転させながら発生する振動を測定することで玉表面の状態を検査する玉軸受用検査装置において、前記内輪又は外輪のいずれか一方の軌道輪に嵌着し、軸線方向への移動を規制すると共に該一方の軌道輪を回転させる回転軸と、前記玉軸受を挟んで前記回転軸の反対側に配設され、他方の軌道輪の回転を規制すると共に該他方の軌道輪を前記回転軸の軸線方向に押圧する加圧板と、前記回転軸の軸線方向に移動自在に設けられ前記他方の軌道輪を前記加圧板の押圧方向に対して反対方向に押し戻す押戻板と、を具備したことを特徴とする。
【０００６】
この玉軸受用検査装置では、回転軸が回転されることで、この回転軸に嵌着した内輪又は外輪のいずれか一方の軌道輪が回転される。従って、内輪と外輪とは相対回転する。この状態で、内輪又は外輪のいずれか他方の軌道輪が加圧板によって押圧されると、内輪と外輪とは、軸線方向に相対的にずれることになる。また、他方の軌道輪が、押戻板によって加圧板の押圧方向に対して反対方向に押し戻されると、内輪と外輪とは、軸線方向に前述のずれ方向とは逆方向にずれることになる。従って、内輪又は外輪のいずれか他方の外輪に加えられる押圧方向が、軸線方向の一方又は他方に切り替えられることで、内輪と外輪との間に介装された玉の自転軸が変化して、その結果、玉の接触面が変化することになる。このため、１回のローディング又は少ないローディング回数でより多くの接触面が測定に寄与することになり、玉の接触面全体を短時間で測定することができる。
【０００７】
そして、本発明に係る玉軸受の検査方法は、玉軸受の内輪と外輪を相対回転させながら発生する振動を測定して玉表面の状態を検査する玉軸受の検査方法であって、回転軸によって前記玉軸受の内輪又は外輪のいずれか一方を回転させる工程と、前記玉軸受を挟んで前記回転軸の反対側に配設された加圧板を用いて前記内輪又は外輪の他方の軌道輪の回転を規制すると共に該他方の軌道輪を前記回転軸の軸線方向に押圧する押圧工程と、前記回転軸の軸線方向に移動自在に設けた押戻板を用いて前記他方の軌道輪を前記加圧板の押圧方向に対して反対方向に押し戻す押戻工程と、前記押戻板による押圧を解除した後、再び前記加圧板を用いて前記他方の軌道輪を前記回転軸の軸線方向に押圧する再押圧工程とを含み、前記押圧工程と、前記押戻工程と、前記再押圧工程とを順次所定回数繰り返し、押圧工程時に測定した振動をもとに玉表面の状態を検査することを特徴とする。
【０００８】
この玉軸受の検査方法では、相対回転する内輪又は外輪の他方が加圧板によって押圧された後、内輪又は外輪の他方が押戻板によって反対方向に押し戻され、更にその後に内輪又は外輪の他方が加圧板によって軸線方向に再押圧される。これにより、押圧方向が切り替えられる都度、内輪と外輪との間に介装された玉の自転軸が変化し、玉の接触面が変化する。従って、押圧工程と、押戻工程と、再押圧工程とを所定回繰り返して、押圧工程で測定した振動を元に玉表面状態を検査する場合、切り替え回数が増えるほど、新たな接触面が次々に接触して玉表面の広い範囲が検査可能になる。
【０００９】
また、本発明に係る玉軸受の検査方法は、玉軸受の内輪の内周又は外輪の外周のいずれか一方に脱着可能に回転軸を嵌着し、他方の外輪又は内輪の端面を加圧板を用いてスラスト荷重を負荷することにより軸受に予圧を与えて、内輪と外輪とを相対回転させながら加圧板に取り付けた振動計により発生する振動を測定することで玉表面の状態を検査する玉軸受の検査方法において、前記玉軸受を挟んで加圧板の反対側に押圧方向に対して反対方向に押戻す押戻板を設け、回転中に加圧板と押戻板を用いて軸線方向に交互に反対方向のスラスト荷重を負荷して、玉の自転軸を変えることにより測定時の玉の走行跡を変化させることを特徴としてもよい。
【００１０】
このような玉軸受の検査方法において、加圧板によりスラスト荷重を負荷したときと、押戻板によりスラスト荷重を負荷したときの軸受の玉の自転軸が、回転軸に対し互いに逆の傾き（自転軸角度の反転）を有していることが好ましい。これにより、玉の自転軸が大きく変化するため、いち早く玉表面全体を測定することができる。
【００１１】
そして、下記計算式により走行面積を計算する場合に、切り替え回数（測定回数）を、玉表面積に対する走行面積（検査面積）の割合が８０％以上となる回数より大きく設定することが好ましい。
Ｘ＝［１−｛１−（Ｓ／１００）N｝］×１００
ここで、
Ｓ［％］：１回の切り替え（測定）あたりの玉表面積に対する走行面積（測定面積）の割合
Ｎ［回］：切り替え回数（測定回数）
Ｘ［％］：Ｎ回の切り替え（測定）を行ったときの玉表面積に対する走行面積（測定面積）の割合
【００１２】
さらに好ましくは、玉表面積に対する走行面積（検査面積Ｘ）が９８％以上となるＮより大きい切り替え回数（測定回数）にするとよい。この場合、異常を見逃すことが殆どなくなり、検出能力の更なる向上が図られる。
【００１３】
また、本発明に係る玉軸受の検査方法に用いられる玉軸受用検査装置は、玉軸受の内輪と外輪とを相対回転させながら発生する振動を測定することで玉表面の状態を検査する玉軸受用検査装置において、前記内輪又は外輪のいずれか一方の軌道輪に嵌着し、軸線方向への移動を規制すると共に該一方の軌道輪を回転させる回転軸と、前記玉軸受を挟んで前記回転軸の反対側に配設され、他方の軌道輪の回転を規制すると共に該他方の軌道輪を前記回転軸の軸線方向に押圧する加圧板と、前記回転軸の軸線方向に移動自在に設けられ前記他方の軌道輪を前記加圧板の押圧方向に対して反対方向に押し戻す押戻板とを具備し、前記の玉軸受の検査方法に基づいて検査を行うことを特徴としている。
【００１４】
そして、前記加圧板及び押戻板の両方を、サーボモータの駆動によってスラスト荷重を負荷する構成としてもよい。これにより、予圧付与のための駆動制御が容易となり、駆動機構も簡単化できる。
さらに、玉軸受用検査装置の加圧板と駆動軸との間にダンパー材を介在させることで、駆動軸から伝達される振動を遮断して、振動測定精度を向上させることが好ましい。
【００１５】
【発明の実施の形態】
以下、本発明に係る玉軸受の検査方法及び該検査方法に用いられる玉軸受用検査装置の好適な実施の形態を図面を参照して詳細に説明する。
図１は本発明に係る玉軸受の検査方法に用いられる玉軸受用検査装置の第１実施形態における構成図、図２は外輪が回転される場合の図１の玉軸受用検査装置の変形例を示す構成図、図３は図１と異なる加圧機構を備えた玉軸受用検査装置の変形例を示す構成図である。
【００１６】
本実施形態の玉軸受用検査装置１００には不図示のモータによって回転される回転軸３が設けられ、回転軸３は軸線方向の移動が規制されている。回転軸３は、玉軸受５の内輪７の内周又は外輪９の外周のいずれか一方に脱着可能に嵌着して、内輪７又は外輪９のいずれか一方の軌道輪を回転させるようになっている。図１に示す本実施形態では、回転軸３の先端に小径部３ａが形成され、この小径部３ａの外周に内輪７又は外輪９の一方である内輪７の内周が嵌着されるようになっている。
【００１７】
なお、回転軸３は、内輪７又は外輪９の他方の軌道輪である外輪９が嵌着されるものであってもよい。この場合には、図２に示すように、回転軸３の先端に嵌入凹部１１を形成し、この嵌入凹部１１を外輪９の外周に嵌着して、外輪９を回転させるようにする。
【００１８】
図１に示すように、回転軸３に嵌着された玉軸受５を挟んで、回転軸３の反対側には加圧板１３が配設されている。加圧板１３は、先端が開口した例えば有底円筒形状に形成され、その先端が外輪９の側面に当接するようになっている。この加圧板１３は、回転不能に支持されている。従って、加圧板１３に当接された外輪９は、回転が規制されて、内輪７と相対回転する。
【００１９】
加圧板１３の底部には押圧駆動するシリンダー１５の駆動軸１７が接続される。従って、加圧板１３は、シリンダー１５の駆動軸１７が伸長駆動されることで、外輪９を回転軸３の軸線方向（図１の右方向）に押圧する。つまり、玉軸受５は、内輪７の軸方向の移動が回転軸３によって規制されることから、図１の右方向のスラスト荷重が外輪９に加えられることになる。これにより、玉軸受５は、外輪９が内輪７に対して軸線方向にずらされ、玉１９に予圧が付与されるようになっている。
【００２０】
なお、玉軸受用検査装置１００は、図１に示したシリンダー１５を加圧板１３の押圧駆動源に用いる他、図３に示すように、ボールネジ機構２１を押圧駆動源に用いるものであってもよい。この場合、加圧板１３の底部には、ナット２３を介してボールネジ２５に噛み合った押圧腕２４を連結する。従って、加圧板１３は、サーボモータ２７によってボールネジ２５が回転されることで、外輪９を回転軸３の軸線方向（図１の右方向）に押圧し、上述同様にスラスト荷重を外輪９に加えることができる。
【００２１】
また、図２に示した外輪９を回転させる変形例の場合では、内輪７が、軸状の加圧板２９によって回転軸３の軸線方向（図２の右方向）に押圧される。この場合の押圧駆動源も、シリンダー１５若しくはボールネジ機構２１を用いることができる。そして、この変形例の場合でも、加圧板２９によって内輪７にスラスト荷重が加えられることで、上述同様に、玉軸受５は、外輪９が内輪７に対して軸線方向にずらされ、玉１９に予圧が付与されることになる。
【００２２】
この加圧板１３（変形例では加圧板２９）には、振動計３１が取り付けられている。振動計３１は、回転軸３によって玉軸受５を回転させた際、回転に伴って発生する玉軸受５からの振動（音響）を検出するようになっている。この振動計３１は、不図示の判定制御回路へ電気的に接続される。判定制御回路は、振動計３１から入力された検出信号に基づき、玉１９の表面の傷の有無を判定するようになっている。
【００２３】
また、回転軸３の外方には、回転軸３の軸線方向に移動自在となった円環状の押戻板３３が配設されている。押戻板３３には、ナット３５を介してボールネジ３７に噛み合わされた押圧腕３９が連結される。押戻板３３は、サーボモータ４１によってボールネジ３７が回転されることで、外輪９を回転軸３の軸線方向（図１の左方向）に押圧するようになっている。このとき、玉軸受５は、内輪７が回転軸３に嵌着して軸方向の移動が規制されるため、図１の左方向のスラスト荷重が外輪９に加えられる。これにより、玉軸受５は、外輪９が、加圧板１３による押圧の場合と逆方向にずらされ、加圧板１３による押圧の場合と逆方向の予圧が玉１９に付与される。つまり、外輪９への押圧方向は、加圧板２９と押戻板３３とによって逆方向に切り替えられるようになっている。
【００２４】
なお、図２に示した外輪９を回転させる変形例の場合では、回転軸３の嵌入凹部１１に押戻板４３が配設される。押戻板４３は、不図示のシリンダー、若しくはボールネジ機構により、内輪７を回転軸３の軸線方向（図２の左方向）に押圧するようになっている。この変形例の場合においても、玉軸受５は、内輪７が加圧板２９による押圧の場合と逆方向にずらされ、加圧板２９による押圧の場合と逆方向の予圧が玉１９に付与される。
【００２５】
次に、上述のように構成された玉軸受用検査装置１００を用いて玉軸受を検査する方法を、図１に示した内輪７を回転させる構成の場合を例にとり説明する。図４は図１の玉軸受用検査装置に装着された玉軸受の外輪が押し戻された際の状況を示す要部構成図、図５は押圧方向の切り替えによって変化する玉自転軸を表す説明図、図６は押圧方向の切り替え回数（測定回数）と検査面積との関係を表したグラフである。
【００２６】
玉軸受用検査装置１００を用いて玉軸受５の傷を検査するには、先ず、図１に示すように、回転軸３に玉軸受５の内輪７を嵌着し、回転軸３を駆動することにより内輪７を回転させる（回転工程）。次いで、回転軸３の反対側に配設された加圧板１３を用いて、外輪９を回転軸３の軸線方向に押圧する（押圧工程）。これにより、玉１９には予圧が付与され、玉１９は、図５（ａ）に示す右上がりに傾斜した自転軸５１ａを中心に転動する。この際、玉１９は、玉表面の一定の接触面（走行跡）５３ａが内輪７及び外輪９の軌道面に接触する。
【００２７】
この状態から、図４に示すように、押戻板３３を用いて外輪９を加圧板１３の押圧方向と反対方向に微小量押し戻し、瞬間的に玉軸受５への押圧方向を切り替える（押戻工程）。この押し戻し量は、玉軸受５のサイズにもよるが、概ね０．１乃至２ｍｍ程度となる。これにより、玉軸受５は、図５（ｂ）に示すように、左上がりに傾斜した自転軸５１ｂを中心に転動する。即ち、押圧工程と押戻工程では自転軸角度が反転する。この際、玉１９は、上述の走行跡５３ａとは異なる走行跡５３ｂが内輪７及び外輪９の軌道面に接触することになる。
【００２８】
この状態から、押戻板３３による押圧を解除した後、再び加圧板１３を用いて、図１に示すように外輪９を回転軸３の軸線方向右側に押圧する（再押圧工程）。これにより、玉１９は、自転軸角度がほぼ等しい場合でも、再押圧工程では前の押圧工程での自転軸５１ａと異なった自転軸を持って転動することになり、走行跡も初期の５３ａに対して変化することになる。これは、押圧工程から押戻工程で押圧方向を逆転させた時に、自転軸角度及び玉回転数がランダムに変化するとともに、押戻工程から再押圧工程で押圧方向を逆転させた時に、自転軸角度及び玉回転数がランダムに変化するためである。
【００２９】
従って、上述の玉軸受用検査装置１００によれば、玉軸受５の一回のローディングで、押圧方向を多数回繰り返し切り替え、軸線方向に交互に反対方向のスラスト荷重を負荷するため、測定時の玉の走行跡が大きく変化して、玉表面の多くの部分を短時間で検査することが可能になる。
【００３０】
例えば、計算上では、
Ｓ〔％〕：１回の切り替え（測定）あたりの玉表面積に対する走行面積（測定面積）の割合
Ｎ〔回〕：切り替え（測定）回数
Ｘ〔％〕：Ｎ回切り替え（測定）を行ったときの玉表面積に対する走行面積（検査面積）の割合
とすると、
Ｘ＝［１−｛１−（Ｓ／１００）N ｝］×１００
となる。
ここで、Ｓはヘルツの弾性接触理論を用いて、軸受の接触幅を求めることにより決定する（例えば、「転がり軸受工学」、転がり軸受工学編集委員会編、養賢堂、1975、pp.87-87を参照)。
【００３１】
従って、玉軸受の設計寸法、測定条件による違いはあるが、いま、Ｓ＝１５％とすると、図６に示すように、
Ｎ＝１０  Ｘ＝８０．３％
Ｎ＝１５  Ｘ＝９１．３％
Ｎ＝２０  Ｘ＝９６．１％
Ｎ＝２５  Ｘ＝９８．３％
Ｎ＝３０  Ｘ＝９９．２％
Ｎ＝４０  Ｘ＝９９．８％
となる。
【００３２】
ここで、軸受内径φ５ｍｍ、軸受外径φ１３ｍｍ、幅４ｍｍ、玉径φ２ｍｍである玉傷を有する玉軸受１００個について、切り替え回数に対する異常品の検出率の関係を調べた。その結果を図７に示す。
図７のグラフに示す結果から、繰り替え回数Ｎ（測定回数）を１０以上、即ち検査面積の割合Ｘを８０％以上とすることにより、大幅に異常検出能力が向上することが分かる。さらに切り替え回数（測定回数）を２５回以上として、検査面積の割合Ｘを９８％以上とすることにより、異常を殆ど見逃すことなく検出することができる。
即ち、検査面積の割合Ｘを８０％以上とすることにより、従来と比較して大幅に異常検出の確率が向上し、より望ましくは検査面積の割合Ｘを９８％以上とすることにより、更なる検出能力の向上を図ることができる。
なお、図３に示すようにシリンダー１５の代わりにボールネジ機構２１を用いた場合は、加圧板１３及び押戻板３３の両方をサーボモータにより駆動制御するため、予圧付与のための駆動制御が容易となり、駆動機構も簡単化することができる。
【００３３】
次に、本発明に係る玉軸受の検査方法に用いられる玉軸受用検査装置の第２実施形態を説明する。図８は本実施形態の玉軸受用検査装置の構成図である。図１に示す玉軸受用検査装置１００と同一の機能を有する部材に対しては同一の符号を付し、その説明はここでは省略する。
図８に示すように、本実施形態の玉軸受用検査装置２００は、振動計３１を取り付けた加圧板１３の底部が、Ｏリング、ゴム、プラスチック等の振動減衰機能を有するダンパー部材６１を介して台座６２に固定されている。また、この台座６２は駆動軸１７と連動可能に固定されている。
シリンダー１５から駆動軸１７に伝達される駆動力は、ダンパー部材６１を介して加圧板１３に加えられ、これにより、押圧駆動時に加圧板１３に加わる振動が減衰される。その結果、駆動軸から伝達される振動が遮断され、振動計３１による振動測定精度を向上でき、より正確な玉軸受の検査が可能となる。
【００３４】
なお、この場合の振動計３１は加圧板１３のラジアル方向の振動を測定しているが、加圧板１３のアキシャル方向の振動を測定する構成としてもよい。図９にアキシャル方向の振動を測定するようにした本実施形態の変形例を示した。この変形例においては、振動計３２を加圧板１３底部の回転軸線位置に配置して加圧板１３に加わるアキシャル方向の振動を測定可能にしている。
【００３５】
次に、本発明に係る玉軸受の検査方法に用いられる玉軸受用検査装置の第３実施形態を説明する。図１０は本実施形態の玉軸受用検査装置の構成図である。前述の実施形態と同様に同一の機能を有する部材に対しては同一の符号を付し、その説明はここでは省略する。
図１０に示すように、本実施形態の玉軸受用検査装置３００は、ラジアル方向の振動を測定する振動計３１とアキシャル方向の振動を測定する振動計３２とを取り付けた加圧板１３の底部が、前述のダンパー部材６１を介して台座６２に固定されている。この台座６２はエアシリンダ６４のピストン６５に駆動軸１７を介して接続されており、エアシリンダ６４からの押圧力を加圧板１３側へ伝達している。
そして、エアシリンダ６４の筐体６６は、ナットを介してボールネジ３８に噛み合わされた押圧腕４０に連結されており、サーボモータ４２によりボールネジ３８が回転されることで、ピストン６５に負荷される圧力を調整している。
【００３６】
この玉軸受用検査装置の構成では、サーボモータ４２の駆動によりエアシリンダ６４側から加圧板１３側への押圧力を所望の圧力となるように調整して、加圧板１３が玉軸受５に対して常に一定の押圧力を負荷するようにできる。これにより玉軸受５に定圧の予圧が付与される。
この状態で押戻板３３をサーボモータ４１の駆動により玉軸受５側に押圧又は押圧解除することで、玉軸受５の玉の自転軸を図５(a),(b)に示すように変化させることができる。
このように、エアシリンダ６４により玉軸受５へ定圧の予圧を負荷した状態で、押戻板３３のみ動作させることにより、玉軸受５への押圧方向の切り替え動作を簡単にできる。その結果、玉の自転軸を単純な制御で容易に変化させることが可能となり、より高速に玉軸受の検査を行うことができる。
【００３７】
ここで、エアシリンダ６４の代わりにバネ等の付勢手段により予圧を付与する構成としてもよい。図１１にコイルバネにより予圧を付与するようにした本実施形態の変形例を示した。この変形例においては、台座６２と支持部材６８との間にコイルバネ６９を配設し、コイルバネ６９により台座６２を玉軸受５側に押圧する構成としている。また、支持部材６８は押圧腕４０に連結されており、サーボモータ４２の駆動によりコイルバネ６９を伸縮させることで、玉軸受５への予圧を所望の圧力となるように調整することができる。
この構成によっても同様に、玉軸受５へ定圧の予圧を負荷した状態にして、押戻板３３のみ動作させることにより、玉軸受５への押圧方向の切り替え動作を簡単に行える。
【００３８】
以上説明した各実施形態による玉軸受の検査方法及び該検査方法に用いられる玉軸受用検査装置によれば、上述した玉表面の多くの面積を短時間で検査することのできる効果に加え、以下の効果も奏する。
即ち、玉１９の欠陥検出確率が向上して、欠陥がある軸受の流出を防止することができる。
欠陥がある軸受により発生するパルスのレベルや回数等を解析することにより、玉に表面欠陥を生じさせる製造工程へのフィードバックが可能となる。押し戻し機構を付加するのみで、簡単なシーケンスプログラムの変更で既存の玉軸受用検査装置に展開することができる。
更に、軸受内部の潤滑油をより大きく攪拌することになるので、軸受内部の混入異物による振動に対しても検出確率を高めることができる。
【００３９】
【発明の効果】
以上詳細に説明したように、本発明に係る玉軸受の検査方法に用いられる玉軸受用検査装置は、内輪又は外輪のいずれか一方の軌道輪を回転させる回転軸と、内輪又は外輪の他方の軌道輪を押圧する加圧板と、他方の軌道輪を加圧板の押圧方向に対して反対方向に押し戻す押戻板とを備えたので、他方の軌道輪に加える押圧方向を逆方向に切り替えることができる。これにより、押圧方向の切り替えの都度、玉の自転軸が変化し、玉の接触面が変化することになる。この結果、一回のローディングで押圧方向を複数回切り替えて、玉表面の多くの面積を短時間で検査することが可能になる。
そして、本発明に係る玉軸受の検査方法は、相対回転する内輪又は外輪の他方が加圧板によって押圧された後、内輪又は外輪の他方が押戻板によって反対方向に押し戻され、更にその後に内輪又は外輪の他方が加圧板によって軸線方向に再押圧される。これにより、押圧方向が切り替えられる都度、内輪と外輪との間に介装された玉の自転軸が変化し、玉の接触面が変化する。従って、押圧工程と、押戻工程と、再押圧工程とを所定回繰り返して、押圧工程で測定した振動を元に玉表面状態を検査する場合、切り替え回数が増えるほど、新たな接触面が次々に接触して玉表面の広い範囲が検査可能になる。
【図面の簡単な説明】
【図１】  本発明に係る玉軸受の検査方法に用いられる玉軸受用検査装置の構成図である。
【図２】  外輪が回転される場合の図１の玉軸受用検査装置の変形例を示す構成図である。
【図３】  図１と異なる加圧機構を備えた玉軸受用検査装置の変形例を示す構成図である。
【図４】  図１の玉軸受用検査装置に装着された玉軸受の外輪が押し戻された際の状況を示す要部構成図である。
【図５】  押圧方向の切り替えによって変化する玉自転軸を表す説明図である。
【図６】  押圧方向の切り替え回数と検査面積との関係を表したグラフである。
【図７】  切り替え回数を変えて異常品の検出率の関係を調べた結果を示すグラフである。
【図８】  本発明に係る玉軸受の検査方法に用いられる玉軸受用検査装置の第２実施形態の構成を示す図である。
【図９】  アキシャル方向の振動を測定するようにした変形例を示す図である。
【図１０】  本発明に係る玉軸受の検査方法に用いられる玉軸受用検査装置の第３実施形態の構成を示す図である。
【図１１】  コイルバネにより予圧を付与するようにした変形例を示す図である。
【符号の説明】
３  回転軸
５  玉軸受
７  内輪
９  外輪
１３、２９  加圧板
３３、４３  押戻板
１００，２００，３００  玉軸受用検査装置
【図１】
0003793888.tif 000002
【図２】
0003793888.tif 000003
【図３】
0003793888.tif 000004
【図４】
0003793888.tif 000005
【図５】
0003793888.tif 000006
【図６】
0003793888.tif 000007
【図７】
0003793888.tif 000008
【図８】
0003793888.tif 000009
【図９】
0003793888.tif 000010
【図１０】
0003793888.tif 000011
【図１１】
0003793888.tif 000012